(57)【要約】【課題】住宅の解体によって生じた廃材や新築時に端材とされた廃材のうち、呼吸性珪酸カルシウム板からなる呼吸性建材を、特別な処理やそのための処理費用、処理場を要することなく、かつコストを低減しながら、再利用してリサイクルできるようにする。【解決手段】呼吸性珪酸カルシウム板を呼吸性建材として少なくとも一部に用いて施工された住宅を解体したときに生じる廃材、又は呼吸性珪酸カルシウム板を呼吸性建材として少なくとも一部に用いて住宅を建築するときに廃材となった呼吸性建材の端材の少なくとも一方を粉砕した後、その粉砕物から呼吸性珪酸カルシウム板以外の不要物を除去するとともに、この不要物が除去された呼吸性珪酸カルシウム板を粒度調整された粉状として珪酸質肥料を得る。【選択図】　図１
2004099401.tif 000002
【特許請求の範囲】
【請求項１】
呼吸性の調整のための呼吸性剤が添加又は混入された呼吸性珪酸カルシウム材を呼吸性建材として少なくとも一部に用いて施工された住宅を解体したときに生じる、上記呼吸性珪酸カルシウム材を含む廃材、又は上記呼吸性珪酸カルシウム材を呼吸性建材として少なくとも一部に用いて住宅を建築するときに廃材となった、上記呼吸性珪酸カルシウム材を含む呼吸性建材の端材の少なくとも一方を粉砕した後、
上記粉砕物から呼吸性珪酸カルシウム材以外の不要物を除去するとともに、該不要物が除去された呼吸性珪酸カルシウム材を粒度調整された粉末とし、
上記粒度調整された呼吸性珪酸カルシウム材の粉末を、可溶性珪酸とアルカリ分とを含む珪酸質肥料とすることを特徴とする呼吸性建材の再利用方法。
【請求項２】
請求項１の呼吸性建材の再利用方法において、
粒度調整された呼吸性珪酸カルシウム材の粉末に対し、可溶性珪酸及びアルカリ分の含有量を調整することを特徴とする呼吸性建材の再利用方法。
【請求項３】
請求項１の呼吸性建材の再利用方法において、
呼吸性剤は、ゼオライト、白土、アロフェン、珪藻土のうちの少なくとも１つであって可溶性珪酸となるものであることを特徴とする呼吸性建材の再利用方法。
【請求項４】
呼吸性の調整のための呼吸性剤が添加又は混入された呼吸性珪酸カルシウム材を呼吸性建材として少なくとも一部に用いて施工された住宅を解体したときに生じる、上記呼吸性珪酸カルシウム材を含む廃材、又は上記呼吸性珪酸カルシウム材を呼吸性建材として少なくとも一部に用いて住宅を建築するときに廃材となった、上記呼吸性珪酸カルシウム材を含む呼吸性建材の端材の少なくとも一方を粉砕した後、
上記粉砕物から呼吸性珪酸カルシウム材以外の不要物を除去するとともに、該不要物が除去された呼吸性珪酸カルシウム材を粒度調整された粉末とすることで、可溶性珪酸とアルカリ分とを含む珪酸質肥料を製造することを特徴とする珪酸質肥料の製造方法。
【発明の詳細な説明】
【０００１】
【発明の属する技術分野】
本発明は、呼吸性に優れた呼吸性建材を使用した住宅を解体したとき等に廃材として生じる呼吸性建材をリサイクルのために再利用する方法、及びその呼吸性建材から珪酸質肥料を製造する方法に関する技術分野に属する。
【０００２】
【従来の技術】
従来より、肥料の１種として珪酸質肥料が一般に知られている。例えば稲や麦等のイネ科植物は多量に珪酸を吸収し、この珪酸が不足すると、茎が弱って倒伏し易く、しかも病害虫に弱くなるため、この珪酸質肥料が主として水田等で水稲肥料として広く使用されている。
【０００３】
肥料取締法（肥料の品質を保全し、その公正な取引を確保するため、肥料の規格の公定、登録、検査等を行い、もって農業生産力の維持増進に寄与することを目的とする法律）では、珪酸質肥料は外観だけで適切な肥効があるか分からないため、米糠や堆肥、その他の特殊肥料以外の普通肥料と定められている。この普通肥料に関する公定規格があり、適切な肥効が得られると見倣される成分や粒度等の基準が定められている。
【０００４】
上記公定規格においては、珪酸質肥料は原材料（けい灰石、鉱さい、軽量気泡コンクリート、シリカゲル）により、▲１▼けい灰石肥料、▲２▼鉱さい珪酸質肥料、▲３▼軽量気泡コンクリート粉末肥料及び▲４▼シリカゲル肥料の４種類に区分され、含有すべき主成分としての可溶性珪酸（ＳｉＯ２）やアルカリ分（ＣａＯ、ＭｇＯ）の最小量、産業廃棄物から製造されるものでは含有を許される有害成分（ニッケル、クロム、チタン等）の最大量、肥料としての粒度等を定めている。
【０００５】
▲１▼　けい灰石肥料
天然に産出されるけい灰石を原材料とするものである。含有すべき主成分の最小量は「可溶性珪酸２０．０％、アルカリ分２５・０％」、粒度は「２ｍｍの網ふるいを全通し、６０μｍの網ふるいを６０％以上通過すること」と規定されている。天然石を用いるために高価ではあるが、ニッケル、クロム、チタン等の有害な不純物を殆ど含まない特徴がある。このけい灰石肥料の製品例としては、清水工業（株）の商品名「けい灰石粉末」等がある。
【０００６】
▲２▼　鉱さい珪酸質肥料
製鉄工業で副生成物として発生する鉱さい（製りん残さい又は製鉄鉱さい等の鉱さい）を原材料とする。安価なために、珪酸質肥料としては最も一般的で、市販製品も多いが、珪酸質の他に、ニッケル、クロム、チタン等の有害な不純物を含んでいる可能性が高く、含有すべき主成分の最小量、含有を許される有害成分の最大量、粒度等が細かく厳密に規定されている。この鉱さい珪酸質肥料の製品例としては、例えばアサヒミネラル工業（株）の商品名「くみあい珪酸苦土石灰３号」、鋼管鉱業（株）の商品名「くみあい珪酸苦土石灰」、（株）鐵原の商品名「くみあい珪酸苦土石灰１号」等がある。
【０００７】
▲３▼　軽量気泡コンクリート粉末肥料
軽量気泡コンクリート（ＡＬＣ）の生産工場において廃棄物として発生する軽量気泡コンクリート（ＡＬＣ）端材を原材料とする。端材を利用するために成分は安定しており、含有すべき主成分の最小量は、「可溶性珪酸１５．０％、アルカリ分１５．０％」、含有を許される有害成分の最大量は「チタン１．０％」、粒度は「４ｍｍの網ふるいを全通すること」と規定されている。この製品例としては、例えば（株）クリオンの商品名「イネニカ」、（株）太平物産の商品名「ケイサンエース」等が挙げられる。
【０００８】
▲４▼　シリカゲル肥料
日本工業規格（ＪＩＳＺＯ７０１）に規定された包装用シリカゲル乾燥剤として生産されたものを原材料とする。珪酸質を非常に多く含み、他の含有物質が少ないため、含有すべき主成分の最小量は「可溶性珪酸８０．０％」と規定されている。この製品例としては、全国農業協同組合連合会の商品名「イネルギー」がある。
【０００９】
尚、肥料を生産する場合、農林水産大臣への登録申請手続が必要である。前述した▲１▼〜▲４▼の珪酸質肥料と比較して植物に同等の肥効があり、無害と認められれば、▲１▼〜▲４▼の珪酸質肥料に適合しなくとも新たに公定規格が定められ、肥料として登録されて生産することが可能となる。
【００１０】
ところで、住宅を解体すると廃材が発生するが、その一部がリサイクルが行われているだけで、大半は、特定の処理施設でないと処理できないために、そのまま産業廃棄物として埋め立て等の廃棄処理をされているのが現状である。
【００１１】
例えば住宅の内装下地材には一般的に石膏ボードが用いられているが、この石膏ボードは住宅解体時には特別管理型産業廃棄物となり、現場からの回収及び運搬に別途費用がかかる上に、次のような（ア）〜（エ）の手順で生産工場で石膏ボードに再利用する以外、再資源化が困難であるのが現状である。すなわち、（ア）住宅を解体する際に石膏ボードを天井や壁から剥がす。（イ）この廃材となった石膏ボードを生産工場に搬送する。（ウ）石膏ボードから石膏部分を表面紙と分別する。（エ）分別された石膏部分を石膏ボードとして再生産する。
【００１２】
尚、特殊肥料として肥料となる石膏も存在するが、りん酸を生産する際に副産されるものに限られており、石膏ボードは主に天然石膏を原材料とするため、その解体廃材・新築端材は肥料とはならない。
【００１３】
このように、住宅の解体によって出た廃材をリサイクルする場合も材料毎に分別して別々の処理工場に搬送せねばならず、その手間がかかり、処理にもエネルギーやコストがかかる。また、特定の処理施設でないと処理できない廃材は、産業廃棄物として埋め立て等の廃棄処理されるが、こうした廃棄物処理にもエネルギーやコストを要し、その処理場の不足も問題になっている。
【００１４】
さらに、住宅を新しく建築（新築）する場合に、施工に伴う材料の切断等により、その後に本来の建材として利用できない各種の端材が発生するが、この端材も廃材として廃棄されており、上記住宅の解体時の廃材と同様の問題が生じる。
【００１５】
そこで、従来、珪酸カルシウム板の肥料への再利用する方法として、既存建物からの解体廃材である珪酸カルシウム板を７００〜１５００℃で反応・焼成させることにより、それに含有されるアスベストを溶融して無害化し、珪酸質肥料として再利用する方法が提案されている（例えば特許文献１〜３参照）。
【００１６】
尚、ベントナイトを塩類で凝集させたような吸放湿性珪酸カルシウム板もあるが、塩類は植物を枯らすため、肥料とするのは不適切である。
【００１７】
【特許文献１】
特開２００２―６８８６８号公報
【特許文献２】
特開２００２―６８８６９号公報
【特許文献３】
特開２００２―１４５６８４号公報
【００１８】
【発明が解決しようとする課題】
しかし、これら提案の方法では、いずれもアスベストを含む珪酸カルシウム板を７００〜１５００℃もの高い焼成温度で焼成・反応させることが必要であるため、コストが大きくなる難がある。
【００１９】
また、内装下地材のようにクロス等の仕上材が付着したまま焼成すると、その仕上材からダイオキシンのような有害物が発生する虞れもある。
【００２０】
本発明の目的は、住宅の解体によって生じた廃材や新築時に端材とされた廃材のうち、呼吸性珪酸カルシウム材からなる呼吸性建材を、特別な処理やそのための処理費用、処理場を要することなく、かつコストを低減しながら、再利用してリサイクルできるようにすることにある。
【００２１】
【課題を解決するための手段】
上記の目的を達成すべく、この発明では、住宅の解体に伴う廃材又は建築時に端材となった呼吸性建材としての呼吸性珪酸カルシウム材を粉砕した後に不要物を除去し、その呼吸性珪酸カルシウム材の粉末をそのまま珪酸質肥料とするようにした。
【００２２】
具体的には、請求項１の発明では、呼吸性の調整のための呼吸性剤が添加又は混入された呼吸性珪酸カルシウム材を呼吸性建材として少なくとも一部に用いて施工された住宅を解体したときに生じる、上記呼吸性珪酸カルシウム材を含む廃材、又は上記呼吸性珪酸カルシウム材を呼吸性建材として少なくとも一部に用いて住宅を建築するときに廃材となった、上記呼吸性珪酸カルシウム材を含む呼吸性建材の端材の少なくとも一方を粉砕する。
【００２３】
次いで、その粉砕物から呼吸性珪酸カルシウム材以外の不要物を除去するとともに、その不要物が除去された呼吸性珪酸カルシウム材を粒度調整された粉末とし、この粒度調整された呼吸性珪酸カルシウム材の粉末を、可溶性珪酸とアルカリ分とを含む珪酸質肥料とする。
【００２４】
上記の構成によると、呼吸性珪酸カルシウム材を呼吸性建材として用いて施工された住宅を解体したときに生じる廃材、又は同じ呼吸性珪酸カルシウム材を呼吸性建材として用いて住宅を建築するときに廃材となった呼吸性建材の端材の少なくとも一方を粉砕し、その不要物を除去するとともに、この不要物のない呼吸性珪酸カルシウム材を粉状として粒度調整し、この粒度調整された呼吸性珪酸カルシウム材の粉末を珪酸質肥料とするので、呼吸性建材の廃材から珪酸質肥料が容易に得られる。
【００２５】
また、従来は廃材として処理していた住宅解体時の呼吸性建材又は新築時の呼吸性建材の端材を珪酸質肥料として再利用するため、処理費用が不要で処理場不足の問題もなくなる。
【００２６】
さらに、住宅解体時の呼吸性建材の廃材又は新築時の呼吸性建材の端材を粉砕し、不要物の除去と共に粉状にするだけでよいので、高い温度で焼成する工程が不要となり、呼吸性建材を再利用して珪酸質肥料を得るためのコストが低くて済むとともに、不要物と共に焼成する場合の有害物の発生をも防止することができる。
【００２７】
請求項２の発明では、上記粒度調整された呼吸性珪酸カルシウム材の粉末に対し、可溶性珪酸及びアルカリ分の含有量を調整する。こうすると、例えば解体廃材から珪酸質肥料を得る場合のように、そのままの状態ではアルカリ分の炭酸化や中性化により成分の含有量が変化しているときであっても、珪酸質肥料としての条件を満たす程度に可溶性珪酸及びアルカリ分の含有量を調整することができ、解体廃材からでも均質な成分を持つ珪酸質肥料が得られる。
【００２８】
請求項３の発明では、上記呼吸性剤は、ゼオライト、白土、アロフェン、珪藻土のうちの少なくとも１つであって可溶性珪酸となるものとする。このことで、珪酸質肥料を得るのに好ましい呼吸性建材としての呼吸性珪酸カルシウム材が得られる。
【００２９】
請求項４の発明は珪酸質肥料の製造方法の発明であり、この発明では、上記請求項１の発明と同様に、呼吸性の調整のための呼吸性剤が添加又は混入された呼吸性珪酸カルシウム材を呼吸性建材として少なくとも一部に用いて施工された住宅を解体したときに生じる、上記呼吸性珪酸カルシウム材を含む廃材、又は上記呼吸性珪酸カルシウム材を呼吸性建材として少なくとも一部に用いて住宅を建築するときに廃材となった、上記呼吸性珪酸カルシウム材を含む呼吸性建材の端材の少なくとも一方を粉砕した後、その粉砕物から呼吸性珪酸カルシウム材以外の不要物を除去するとともに、この不要物が除去された呼吸性珪酸カルシウム材を粒度調整された粉末とすることで、可溶性珪酸とアルカリ分とを含む珪酸質肥料を製造する。このことで、呼吸性珪酸カルシウム材からなる解体時の廃材や新築時の端材から、有害物質のない珪酸質肥料を低コストで安価に製造することができる。
【００３０】
【発明の実施の形態】
図１は本発明の実施形態に係る呼吸性建材の再利用方法（及び珪酸質肥料の製造方法）の工程を示し、この方法は廃材分別工程１、粉砕工程２、粒度調整工程３、成分調整工程４及び袋詰め工程５を備えている。
【００３１】
（廃材分別工程）
まず、廃材分別工程１では、呼吸性の調整のための呼吸性剤が添加又は混入された呼吸性珪酸カルシウム板（呼吸性珪酸カルシウム材）を呼吸性建材の一部（又は全部でもよい）として用いて施工された住宅を解体するとき、住宅の解体現場で、廃材とされた例えば壁や天井から呼吸性建材（呼吸性珪酸カルシウム板）を剥がし、大まかに呼吸性建材のみを他の廃材と分けて回収する。
【００３２】
或いは、同様の呼吸性建材を一部（又は全部）として用いて新しく住宅を建築するときに、その各種建材から不要な端材が廃材として生じるが、それらの端材の中から呼吸性建材の端材のみを分けて回収する。
【００３３】
このとき、呼吸性建材の表面から、予め、目視できる程度の大きな壁紙、釘、等の不要物を除去しておくと、肥料の成分をより一層均質にできるので好ましい。
【００３４】
一般に、珪酸カルシウム板は珪酸カルシウム水和物と繊維との複合材料であるが、本発明の実施形態に係る上記呼吸性珪酸カルシウム板は、製造工程中に製造を阻害したりする膨潤性を有するようなものを除いた、呼吸性能の調整のためにゼオライト、白土（活性白土）、アロフェン、珪藻土等の、可溶性珪酸となる鉱物（呼吸性剤）が添加され又は混入されていて、それらが多く含有されたものである。この呼吸性珪酸カルシウム板の組成の１例を下記表１に示す。表１中、「回収品」は製造工程中で発生するリターン品である。
【００３５】
【表１】
2004099401.tif 000003
【００３６】
また、例えば抄造法で製造される３′×６′の呼吸性珪酸カルシウム板の元素分析結果を表２に示す。
【００３７】
【表２】
2004099401.tif 000004
【００３８】
この表２に示すように、呼吸性珪酸カルシウム板にはＳｉＯ２（特に可溶性珪酸となるもの）、ＭｇＯ、ＣａＯが多く含まれている。
【００３９】
尚、上記呼吸性建材の厚さは施工上の問題がなくて、通常の従来の内装材又は内装下地材に準じるものでよい。また、仕上げ方法は、通気性能が高い壁紙や塗装等、基材の呼吸性珪酸カルシウム板の呼吸性能を阻害しない方法によるのがよい。
【００４０】
（粉砕工程）
次の粉砕工程２では、上記分別により得られた呼吸性建材（解体による呼吸性建材と新築時の呼吸性建材の端材との少なくとも一方）を粉砕機で粉砕（破砕）する。そのとき、従来の公定規格に定められている珪酸質肥料と同等の肥効が出る粒度に粉砕するのが、利用効率を高める上で好ましい。
【００４１】
（粒度調整工程）
粒度調整工程３では、上記粉砕工程２で粉砕された呼吸性建材の粉砕物を網ふるいにかけてふるい分けし、粉砕物から呼吸性珪酸カルシウム材以外の不要物（例えば壁紙の残り等、細かな不要物）を除去するとともに、肥料としての粒度を調整する。
【００４２】
すなわち、呼吸性珪酸カルシウム材が新築端材である場合は、仕上げ材が未だ施工されていないが、内装下地材として使用されていた解体廃材の場合は、呼吸性珪酸カルシウム板の呼吸性能を阻害しないように通気性能の高い壁紙や塗装等が表面に施工されている。これに対し、珪酸質肥料の形状は施用に適した粉体状である。従って、上記粉砕工程２において、公定規格に定められている珪酸質肥料と同等の肥効が出る粒度に粉砕するものの、壁紙等は粉砕されないため、ふるい分けして粒度を整えるとともに、肥料化する際の不要物を除去する。このことによって、解体廃材からでも均質な肥料が得られる。
【００４３】
（成分調整工程）
成分調整工程４では、上記粒度調整された呼吸性珪酸カルシウム材の粉末に対し、炭酸化や中性化により減少したアルカリ分の補充等することで、可溶性珪酸及びアルカリ分の含有量を肥料となるように調整する。このことで、上記成分調整工程４で成分を調整された呼吸性珪酸カルシウム材の粉末を、可溶性珪酸とアルカリ分とを含む珪酸質肥料とする。つまり、このようにして呼吸性珪酸カルシウム材の粉末により可溶性珪酸とアルカリ分とを含む珪酸質肥料を製造する。
【００４４】
上記珪酸質肥料の主成分は可溶性珪酸（ＳＩＯ２）及びアルカリ分（ＭｇＯ、ＣａＯ）である。新築端材は成分も安定しているが、解体廃材は製造から解体までの年数が異なると、カルシウム分（アルカリ分）が炭酸化、中性化している可能性が大きく、かつその程度が異なっている。従って、この成分調整工程４では、両成分を分析して従来の公定規格に定められている珪酸質肥料と同等の肥効が出るよう成分調整を行う。こうすれば、炭酸化や中性化により減少したアルカリ分の補充等も可能で、解体廃材からでも均質な肥料が得られる。
【００４５】
（袋詰め工程）
この後の袋詰め工程５では、上記珪酸質肥料を袋詰めして出荷する。
【００４６】
したがって、この実施形態においては、呼吸性珪酸カルシウム材を呼吸性建材として用いて施工された住宅を解体したときに生じる廃材、又は同じ記呼吸性珪酸カルシウム材を呼吸性建材として用いて住宅を建築するときに廃材となった呼吸性建材の端材の少なくとも一方を粉砕し、その不要物を除去するとともに、この不要物のない呼吸性珪酸カルシウム材を粉状として粒度調整し、この粒度調整された呼吸性珪酸カルシウム材の粉末を珪酸質肥料とするので、呼吸性建材の廃材から珪酸質肥料が容易に得られる。換言すれば、珪酸質肥料を専用に製造する場合における生産に係るエネルギーコストを必要とせず、呼吸性珪酸カルシウム材からなる解体時の廃材や新築時の端材から珪酸質肥料を製造することができる。
【００４７】
また、従来は廃材として処理していた住宅解体時の呼吸性建材又は新築時の呼吸性建材の端材を珪酸質肥料として再利用するため、処理費用が不要で処理場不足の問題もなくなる。また、住宅の新築端材や解体廃材の回収、搬送、廃棄に係るエネルギーコストを殆ど必要とせず、住宅の建設、解体、廃棄が安価に行われるようになると同時に、住宅解体時におけるリサイクルに係る作業が明確となる。
【００４８】
さらに、住宅解体時の呼吸性建材の廃材又は新築時の呼吸性建材の端材を粉砕し、不要物の除去と共に粉状にするだけでよいので、高い温度で焼成する工程が不要となり、呼吸性建材を再利用して珪酸質肥料を得るためのコストが低くて済むとともに、不要物と共に焼成する場合の有害物の発生をも防止することができる。
【００４９】
さらにまた、呼吸性珪酸カルシウム板の生産から珪酸質肥料の再利用までのマテリアルフローを提示して、資源の再利用がスムースに行えるようになるとともに、呼吸性珪酸カルシウム板の構成、組成、厚さ、仕上げ方法等を示すことにより、珪酸質肥料としての再利用に適した呼吸性珪酸カルシウム板の製造条件・施工方法が明確となる。
【００５０】
【実施例】
次に、具体的に実施した実施例について説明する。床面積約４０坪の住宅に内装下地材として施工されていた、厚さ６ｍｍの呼吸性珪酸カルシウム板を解体時に粉砕すると、詳細は表３のようになる。
【００５１】
【表３】
2004099401.tif 000005
【００５２】
このうち、外周壁全面に使用されている呼吸性珪酸カルシウム板についての解体廃材の重量は０．５ｔとなる。これは、通常の珪酸質肥料として水田に施用する場合、約２．５反の広さの水田を賄うことができる量である。珪酸質肥料は水田に施用する場合、約２００ｋｇ／反ほど使用するのが農協等の指針とされているが、本発明の方法により得られた珪酸質肥料も、専用工場で生産されるものと成分的には異なるところがないため、それに準じて差し支えない。よって、本発明によると、呼吸性珪酸カルシウム材からなる解体時の廃材や新築時の端材から、有害物質のない珪酸質肥料を低コストで安価に製造できることが判る。
【００５３】
【発明の効果】
以上説明した如く、請求項１又は４の発明によると、呼吸性珪酸カルシウム材を呼吸性建材として少なくとも一部に用いて施工された住宅を解体したときに生じる廃材、又は呼吸性珪酸カルシウム材を呼吸性建材として少なくとも一部に用いて住宅を建築するときに廃材となった呼吸性建材の端材の少なくとも一方を粉砕した後、その粉砕物から呼吸性珪酸カルシウム材以外の不要物を除去するとともに、この不要物が除去された呼吸性珪酸カルシウム材を粒度調整された粉末として珪酸質肥料を得ることにより、呼吸性建材の廃材を再利用して、この廃材から有害物のない珪酸質肥料が容易に低コストで得られるとともに、従来は廃材として処理していた住宅解体時の呼吸性建材又は新築時の呼吸性建材の端材を珪酸質肥料として再利用するため、処理費用が不要で処理場不足の問題もなくなる。
【００５４】
請求項２の発明によれば、粒度調整された呼吸性珪酸カルシウム材の粉末の可溶性珪酸及びアルカリ分の含有量を調整することにより、解体廃材から珪酸質肥料を得る場合のようにアルカリ分の含有量が変化しているときであっても、珪酸質肥料としての条件を満たす程度に成分含有量を調整して、解体廃材からでも均質な成分を持つ珪酸質肥料が得られる。
【００５５】
請求項３の発明によると、上記呼吸性珪酸カルシウム材に添加又は混入された呼吸性剤をゼオライト、白土、アロフェン、珪藻土のうちの少なくとも１つで可溶性珪酸となるものとしたことにより、珪酸質肥料を得るのに好ましい呼吸性建材としての呼吸性珪酸カルシウム材が得られる。
【図面の簡単な説明】
【図１】本発明の実施形態に係る呼吸性建材の再利用方法（珪酸質肥料の製造方法）の工程を示す図である。
【符号の説明】
１　廃材分別工程
２　粉砕工程
３　粒度調整工程
４　成分調整工程
【図１】
2004099401.tif 000006